(57)【要約】【課題】  画像のちらつきの発生を抑制することができる回転型表示装置の駆動方法を提供する。【解決手段】  表示体３を回転させて３次元的な表示を行う回転型表示装置１において、表示体３を１秒間に６０回転の回転数で回転駆動しながら、各表示回転角度範囲において表示される画像を、前記表示体３の回転数に同期して切り替えて表示する。【選択図】  図１
2005221946.tif 000002
【特許請求の範囲】
【請求項１】
表示体を回転させて３次元的な表示を行う回転型表示装置の駆動方法において、
前記表示体の各回転角度において表示される画像を１秒間に６０回以上表示されるようにしたことを特徴とする回転型表示装置の駆動方法。
【請求項２】
請求項１に記載の回転型表示装置の駆動方法において、
前記表示体は、回転方向にｎ個の表示部が区画形成され、その各表示部にそれぞれ別々の画像が表示されるものであって、
前記表示体を、１秒間に６０／ｎ回以上回転させるとともに、前記各回転角度位置において表示される画像を、前記表示体の回転数に同期して表示する画像を切り替えて表示することを特徴とする回転型表示装置の駆動方法。
【請求項３】
請求項１または２に記載の回転型表示装置の駆動方法において、
前記表示体は、薄型ディスプレイで構成されていることを特徴とする回転型表示装置の駆動方法。
【請求項４】
請求項３に記載の回転型表示装置の駆動方法において、
前記薄型ディスプレイは、液晶ディスプレイであることを特徴とする回転型表示装置の駆動方法。
【請求項５】
請求項１または２に記載の回転型表示装置の駆動方法において、
前記表示体はスクリーンであり、
前記スクリーンに、異なる方向から撮影した画像を表わす光を前記表示体の回転周期に同期して投射する投射手段を備えたことを特徴とする回転型表示装置の駆動方法。
【発明の詳細な説明】
【技術分野】
【０００１】
本発明は、回転型表示装置の駆動方法に関する。
【背景技術】
【０００２】
従来、２次元の画像を撮影された方向に直接表示する表示体を回転させる回転型表示装置が知られている（非特許文献１）。
この種の回転型表示装置では、左右方向に対する視認角度が小さい、すなわち斜め方向の視点からは画像を観察することが不可能な表示体としての平面型のディスプレイを一定の回転数で回転させ、そのディスプレイに表示される画像をディスプレイの向き、すなわち回転角度に応じて切り替えることで、視点位置に応じて異なる画像を表示する。つまり、人物などの被写体を複数台のカメラで異なる方向から撮影し、得られた画像を撮影した方向と同じ方向にそれぞれ表示することで、被写体の全周を表示することが可能となる。
【０００３】
図１１は、従来の回転型表示装置の駆動方法を説明するための図であって、各回転角度でのディスプレイＰを上側から見た図である。図１１において、ディスプレイＰは回転軸Ｒを中心として反時計方向に回転するようになっている。また、ディスプレイＰは、その視野角がφｏであるディスプレイである。図１１（ｃ）に示すように、視野角φｏは、ディスプレイＰが静止している観察者の視点Ｈに正対したとき、ディスプレイＰに表示される画像全体を視点Ｈから視認することができるときの角度範囲である。尚、回転角度θは、ディスプレイＰが図１１（ｃ）に示した位置から反時計回り方向に位置するときを正で、時計回り方向に回転したときを負で示す。
【０００４】
いま、ディスプレイＰが回転軸Ｒを中心として回転し、図１１（ａ）に示すように、回転角度θが回転角度θ＝−θａの状態に至る。すると、観察者の視点Ｈからは、ディスプレイＰ上の全表示領域（図１１（ｃ）における領域Ｚ３）に画像が表示されていても、前記したように、ディスプレイＰはその視野角がφｏであるため、視野角φｏの角度範囲内に対応した表示領域Ｚ１に表示された画像のみが視認される。そして、図１１（ａ）中、視野角φｏの角度範囲外に対応したディスプレイＰの左端の表示領域に表示された画像は視認不可能になる。
【０００５】
その後、図１１（ｂ）に示すように、ディスプレイＰが反時計回転方向に回転し回転角度θ＝−θｂの状態に至る。すると、観察者の視点Hからは、回転角度θ＝−θａのとき
と比較して視認不可能な表示領域が徐々に狭まり、前記表示領域Ｚ１より広い、視野角φｏの角度範囲内に対応したディスプレイＰの表示領域Ｚ２に表示された画像が視認可能になる。そして、視野角φｏの角度範囲外に対応したディスプレイＰの左端の表示領域に表示された画像は視認不可能になる。
【０００６】
その後、ディスプレイＰがさらに反時計回転方向に回転し、図１１（ｃ）に示すように、ディスプレイＰが観察者に正対したとき、前記視点Ｈからは、ディスプレイＰの全表示領域Ｚ３に表示される画像の全体像が視認可能になる。また、ディスプレイＰが回転し、図１１（ｄ）に示すように、その回転角度θが所定の回転角度θ＝＋θｂの状態に至る。すると、観察者の視点Ｈからは、視野角φｏの角度範囲内に対応したディスプレイＰの左端の表示領域Ｚ４に表示された画像から徐々に視認可能になり、図１１（ｄ）中右端の視野角φｏの角度範囲外に対応したディスプレイＰの右端の表示領域に表示された画像は視認不可能になる。その後、図１１（ｅ）に示すように、ディスプレイＰがさらに反時計回転方向に回転し回転角度θ＝＋θａの状態に至る。すると、観察者の視点Hからは、回転
角度θ＝θｂのときと比較して視認不可能な表示領域が徐々に広がり、前記表示領域Ｚ４
より狭い、視野角φｏの角度範囲内に対応した表示領域Ｚ５に表示された画像が視認可能になるが、視野角φｏの角度範囲外に対応したディスプレイＰの表示領域に表示された画像は視認不可能になる。
【０００７】
その後、さらに回転し所定の回転角度に至ると画像を切り替えて異なった画像を表示させる。そして、その後、ディスプレイＰが回転軸Ｒを中心として回転し、再び所定の回転角度に至ると所望の画像を表示させながら回転する。
【非特許文献１】日本バーチャルリアリティ学会第８回大会論文集（２００３年９月）、ｐｐ．１１５−１１８
【発明の開示】
【発明が解決しようとする課題】
【０００８】
ところで、上記非特許文献１に記載されている従来の回転型表示装置は、平面型のディスプレイを、６〜７Ｈｚで回転させながら所定の画像を切り替えて表示させるようにしている。この結果、前記視点Ｈから見た画像にちらつきが発生してしまい、表示品位が劣化するという問題があった。
【０００９】
本発明は、上記従来の問題点に着目してなされたものであって、その目的は、画像のちらつきの発生を抑制することができる回転型表示装置の駆動方法を提供することにある。
【課題を解決するための手段】
【００１０】
本発明の回転型表示装置の駆動方法は、表示体を回転させて３次元的な表示を行う回転型表示装置の駆動方法において、前記表示体の各回転角度において表示される画像を１秒間に６０回以上表示されるようにした。
【００１１】
これによれば、回転している表示体に対してその表示体のある回転角度位置にあるときに表示されている画像を視認する場合、その回転角度位置において表示される画像が１秒間に６０回以上の画像が表示されることから、画像のちらつき（フリッカー）が生じない。
【００１２】
この回転型表示装置の駆動方法において、前記表示体は、回転方向にｎ個の表示部が区画形成され、その各表示部にそれぞれ別々の画像が表示されるものであって、前記表示体を、１秒間に６０／ｎ回以上回転させるとともに、前記各回転角度位置において表示される画像を、前記表示体の回転数に同期して表示する画像を切り替えて表示するようにしてもよい。
【００１３】
これによれば、１秒間に６０／ｎ回以上で回転している表示体について、ある回転角度位置にあるときに表示される画像を視認する場合、その回転角度位置において表示される画像が回転数に同期して１秒間に６０回以上の画像が表示されることから、画像のちらつきが生じない。
【００１４】
この回転型表示装置の駆動方法において、前記表示体は、薄型ディスプレイで構成されていてもよい。
これによれば、薄型ディスプレイで構成することで前記表示体を軽量化することができる。この結果、回転型表示装置自体を小型化することができるとともに、前記表示体を回転駆動させるための、例えばモータにかかる負荷を小さくすることができる。
【００１５】
この回転型表示装置の駆動方法において、前記薄型ディスプレイは、液晶ディスプレイであってもよい。
これによれば、液晶ディスプレイは一般に視野角が比較的小さいので、回転型表示装置
の表示体を液晶ディスプレイで構成することで複数の視点から画像を視認することが可能な回転型表示装置を容易に作成することができる。
【００１６】
この回転型表示装置の駆動方法において、前記表示体はスクリーンであり、前記スクリーンに、異なる方向から撮影した画像を表わす光を前記表示体の回転周期に同期して投射する投射手段を備えてもよい。
【００１７】
これによれば、投射手段によって画像を表示するようにした回転型表示装置において、その画像のちらつきが生じない、表示品位を高品位にすることができる。
【発明を実施するための最良の形態】
【００１８】
（第１実施形態）
以下、本実施形態に係る回転型表示装置１を図１〜図７に基づいて説明する。図１は、第１実施形態に係る回転型表示装置１の全体斜視図であり、図２は、同回転型表示装置１の正面図である。図３は、回転型表示装置１の平面図である。
【００１９】
図１及び図２に示すように、回転型表示装置１は、台座２と、該台座２上に回転可能に支持された表示体３とを備えている。台座２は、図２に示すように、その略中心部からｚ軸方向に突設し前記表示体３と連結された回転軸４と、同台座２に内蔵されｚ軸方向を回転軸方向として同回転軸４を台座２に対して回転駆動するモータ５とを備えている。また、台座２は、回転軸４の回転角度（表示体３のディスプレイＱの回転角度）θ（図４参照）を検出する角度センサＰＭを備えている。さらに、台座２は、表示体３のディスプレイＱに表示される画像の表示データ及び回転軸４を回転制御する回転制御信号をそれぞれ出力する制御部Ｋを備えている。
【００２０】
表示体３は、図１〜図３に示すように、前記回転軸４に固定された平面形状の固定部材Ｗと、その固定部材Ｗの一側面に固定されたディスプレイＱとを備えている。すなわち、回転型表示装置１は、回転方向に１個のディスプレイＱが区画形成された表示体３を備えている。ディスプレイＱは、前記表示データに従った画像を表示する。尚、ディスプレイＱは、視野角が比較的小さい公知の平面型液晶ディスプレイである。
【００２１】
以上の構成により、回転軸４がモータ５により回転制御されることにより、同回転軸４を回転中心として表示体３全体が台座２上で回転駆動する。そして、表示体３が回転しながら表示データに従った所定の画像をディスプレイＱに表示する。尚、表示体３は、図３に示すように、回転軸４を回転中心として反時計回転方向に回転駆動されるようになっている。
【００２２】
図４は、表示体３が台座２上で回転駆動したときの回転型表示装置１の平面図である。図４に示すように、回転型表示装置１の回転軸４を中心としてディスプレイＱに表示される画像を観察する４人の静止している観察者の視点Ａ，Ｂ，Ｃ，Ｄが互いに９０°毎の等角度に配置されている。以下、説明の便宜上、観察者の視点ＡがディスプレイＱと正対する位置を基準値（＝０°）として表示体３が反時計方向回りに回転駆動した場合のディスプレイＱの回転角度をθとする。すなわち、観察者の視点Ａは０°、視点Ｂは９０°、視点Ｃは１８０°、視点Ｄは２７０°の位置にそれぞれ配置されている。
【００２３】
そして、図４に示すように、回転角度θ＝３１５°〜４５°の角度範囲を第１の表示回転角度範囲θ１、回転角度θが４５°〜１３５°の角度範囲を第２の表示回転角度範囲θ２とする。また、回転角度θが１３５°〜２２５°の角度範囲を第３の表示回転角度範囲θ３、回転角度θが２２５°〜３１５°の角度範囲を第４の表示回転角度範囲θ４とする。
【００２４】
そして、本実施形態では、表示体３は（ディスプレイＱ）が、第１の表示回転角度範囲θ１を回転しているとき、視点Ａの観察者のための画像、第２の表示回転角度範囲θ２を回転しているとき、視点Ｂの観察者のための画像、第３の表示回転角度範囲θ３を回転しているとき、視点Ｃの観察者のための画像、第４の表示回転角度範囲θ４を回転しているとき、視点Ｄの観察者のための画像がそれぞれ切り替わって表示されるようになっている。
【００２５】
図５は、前記回転型表示装置１の電気的構成を説明するための図である。図５に示すように、前記制御部Ｋは、記憶部６、読み出し専用メモリ（以下、ＲＯＭという）７、ランダムアクセスメモリ（以下、ＲＡＭという）８及び中央処理装置（以下、ＣＰＵという）９を備えている。また、前記制御部Ｋは、入力ポート１１ａ及び出力ポート１１ｂを備えている。各記憶部６、ＲＯＭ７、ＲＡＭ８及びＣＰＵ９は、それぞれバス１０を介して入力ポート１１ａ及び出力ポート１１ｂに電気的に接続されている。
【００２６】
入力ポート１１ａは前記角度センサＰＭに電気的に接続され、同角度センサＰＭにて検出された検出信号を入力する。出力ポート１１ｂは、前記ディスプレイＱとモータ５とに電気的に接続され、表示データをディスプレイＱへ、また、回転制御信号をモータ５へ、それぞれ出力する。
【００２７】
記憶部６には表示データが記憶されている。この表示データは、本実施形態では、被写体を互いに９０°毎の等角度に配置された４台のカメラ（図示せず）で撮影し、その撮影した各角度方向からの表示データを、前記ディスプレイＱが回転しながら撮影した方向に切り替えて表示可能となるような順に並べられて編集された表示データである。また、記憶部６には、回転軸４を１秒間に６０回転の回転数で回転させるようにモータ５を駆動させるためのデータが記憶されている。
【００２８】
ＲＯＭ７には、前記角度センサＰＭからの検出信号に基づいてディスプレイＱの回転角度θを算出するための演算プログラムが記憶されている。また、ＲＯＭ７には、算出された回転角度θに応じた表示データを前記記憶部６から抽出させるとともに出力ポート１１ｂに出力させるための制御プログラムが記憶されている。本実施形態の制御プログラムは、算出された回転角度θが前記第１の表示回転角度範囲θ１では、記憶部６に記憶された表示データから被写体を前方（回転角度θ＝０°）から撮影した画像に対する１フレーム分の表示データを抽出し出力ポート１１ｂへ出力させるプログラムである。また、算出された回転角度θが前記第２の表示回転角度範囲θ２では、表示データから被写体を左側方（回転角度θ＝９０°）から撮影した画像に対する表示データを抽出し出力ポート１１ｂへ出力させるプログラムである。
【００２９】
さらに、算出された回転角度θが前記第３の表示回転角度範囲θ３では、表示データから被写体を後方（回転角度θ＝１８０°）から撮影した画像に対する表示データを抽出し出力ポート１１ｂへ出力させるプログラムである。さらにまた、算出された回転角度θが前記第４の表示回転角度範囲θ４では、表示データから被写体を右側方（θ＝２７０°）から撮影した画像に対する表示データを抽出し出力ポート１１ｂへ出力させるプログラムである。
【００３０】
ＲＡＭ８には、前記ＣＰＵ９による演算結果が一時的に記憶される。ＣＰＵ９は、前記演算プログラムに従って、前記角度センサＰＭからの検出信号に基づいて表示体３の回転角度θを算出する。また、ＣＰＵ９は、前記制御プログラムに従って、ＲＯＭ７に記憶された記憶された表示データから回転角度θに応じた表示データを抽出し、出力ポート１１ｂへ出力する。このようにすることで、制御部Ｋは、ディスプレイＱが所定の回転角度θ
に至ったタイミングで、その回転角度θに応じた表示データをディスプレイＱに出力させる。
【００３１】
このように構成された回転型表示装置１は、モータ５が回転軸４を１秒間に６０回転の回転数で回転駆動させながら、各表示回転角度範囲θ１〜θ４に表示される１フレーム分の画像を、そのディスプレイＱの向き、すなわち、表示回転角度範囲θ１〜θ４毎に切り替えて表示することで、観察者の視点Ａ〜Ｄの位置に応じて異なる画像を表示する。このとき、被写体を４台のカメラで異なる方向から撮影し、得られた画像を撮影した方向と同じ方向にそれぞれ表示することで、被写体の全周を近似的に表示することが可能となる。この結果、回転している表示体３を周囲から観察すると、被写体があたかもその表示体３の回転中心に在るかのように３次元的に表示される。
【００３２】
図６は、ディスプレイＱに表示される画像の一例である。表示体３の回転駆動を制御しながら回転しているディスプレイＱを図４に示す視点Ａから見ると、図６（ａ）に示すような人物を正面から撮影した画像が表示される。また、ディスプレイＱを図４に示す視点Ｂから見ると、図６（ｂ）に示すような人物を左側面から撮影した画像が表示される。さらに、ディスプレイＱを図４に示す視点Ｃから見ると、図６（ｃ）に示すような人物を背面から撮影した画像が表示される。さらにまた、ディスプレイＱを図４に示す視点Ｄから見ると、図６（ｂ）に示すような人物を右側面から撮影した画像が表示される。
【００３３】
前記のように駆動される回転型表示装置１は、モータ５を、その回転軸４が１秒間に６０回転の回転数で回転駆動するようにした。そして、前記各表示回転角度範囲θ１〜θ４において表示される画像を、前記表示体３の回転数に同期して表示する画像を切り替えて表示されるようにした。この結果、回転している表示体３に対して各観察者の視点Ａ，Ｂ，Ｃ，Ｄにあるときに表示されている画像を視認する場合、各観察者の視点Ａ，Ｂ，Ｃ，Ｄにおいて表示される画像が１秒間に６０回の画像が表示されるので、画像のちらつきが生じない。従って、従来の回転型表示装置と比較して画像のちらつきが生じないので表示品位を向上させることができる。
【００３４】
因みに、図７に回転型表示装置１の回転数（周波数）と、その時々での、例えば、観察者の視点Ａから見た場合のディスプレイＱに表示される画像のちらつき度合いＸとの関係を示す。ここで、本明細書においては、下記式（１）に示すように、画像の表示に伴ってディスプレイＱから放射される光の周波数成分のうちの直流成分Ｌｄと所定の周波数成分である交流成分Ｌａとの比（Ｌａ／Ｌｄ）の自然対数値でディスプレイＱに表示される画像のちらつき度合いＸを定義する。
Ｘ＝１０・ｌｏｇ（Ｌａ／Ｌｄ）          ［ｄＢ］・・・（１）
図７に示すように、画像のちらつき度合いＸは、前記回転数（表示される回数）が増加するのに従って減少し、特に、前記回転数が６０Ｈｚ以上になると急峻に減少することが分かる。図７から、回転型表示装置１は、各表示回転角度範囲θ１〜θ４に表示される画像を１秒間に６０回表示される本実施形態と相違した従来の回転型表示装置と比較して画像のちらつき度合いＸが非常に小さくなっていることが分かる。
【００３５】
また、本実施形態では、ディスプレイＱを液晶ディスプレイで構成したので、その視野角が比較的小さいので、回転型表示装置の表示体３を容易に作成することができる。さらに、ディスプレイＱを液晶ディスプレイで構成したので、回転型表示装置１自体を小型化することができるとともに、前記モータ５にかかる負荷を小さくすることができる。
【００３６】
上記したように、本実施形態によれば、以下の効果を有する。
（１）本実施形態によれば、表示体３を回転させて３次元的な表示を行う回転型表示装置１において、表示体３を１秒間に６０回転の回転数で回転駆動しながら、各表示回転角度
範囲θ１〜θ４において表示される画像を、前記表示体３の回転数に同期して切り替えて表示されるようにした。従って、回転している表示体３に対してその表示体３のある回転角度位置にあるときに表示されている画像を視認する場合、その回転角度位置において表示される画像が１秒間に６０回の画像が表示されることから、画像のちらつきが生じることがない。これにより、画像のちらつきがない表示品位の高い画像を表示することができる。
（２）本実施形態によれば、ディスプレイＱを視野角が比較的小さい公知の液晶ディスプレイで構成した。従って、回転型表示装置の表示体３を容易に作成することができる。また、回転型表示装置１自体を小型化することができるとともに、前記モータ５にかかる負荷を小さくすることができる。
（第２実施形態）
次に、本発明を具体化した第２実施形態を図８に従って説明する。この第２実施形態の回転型表示装置１Ａは、表示体の構成が異なっている他は上記第１実施形態と同じ構成を成している。従って、同じ構成部材については符号を等しくし、その詳細な説明を省略する。
【００３７】
図８は、本実施形態における回転型表示装置１Ａの構成を説明するための図である。回転型表示装置１Ａは、固定部材ＷとディスプレイＱ１とで構成される第１の表示体３ａと、固定部材ＷとディスプレイＱ２とで構成される第２の表示体３ｂとが、その各ディスプレイＱ１，Ｑ２が互いに外向きになるように貼り合わされた構成を成した表示体２１を備えている。すなわち、回転型表示装置１Ａは、回転方向に２個のディスプレイが区画形成された表示体２１を備えている。
【００３８】
このように構成された回転型表示装置１Ａにおいては、表示体２１は２つのディスプレイＱ１，Ｑ２を備えている。そして、例えば、第１の表示体３ａのディスプレイＱ１が観察者の視点Ａと正対する位置に至るとき、第２の表示体３ｂのディスプレイＱ２が観察者の視点Ａと相対向する位置にいる観察者の視点Ｃに正対する位置に至る。また、前記回転型表示装置１Ａは、例えば、第１の表示体３ａのディスプレイＱ１が観察者の視点Ｂと正対する位置に至るとき、第２の表示体３ｂのディスプレイＱ２が観察者の視点Ｂと相対向する位置にいる観察者の視点Ｄに正対する位置に至る。
【００３９】
従って、表示体２１の回転数を上記第１の実施形態の表示体３と比較して１／２倍にすることができる。すなわち、表示体２１を１秒間に３０回転の回転数で回転させても、各観察者の視点Ａ，Ｂ，Ｃ，Ｄに各回転角度位置において表示される画像を１秒間に６０回表示することができる。この結果、上記第１実施形態の効果に加えて前記表示体２１を回転駆動させる前記モータ５の負荷を軽減させることができる。
（第３実施形態）
次に、本発明を具体化した第２実施形態を図９に従って説明する。この第３実施形態の回転型表示装置１Ｂは、表示体の構成が異なっている他は上記第１実施形態と同じ構成を成している。従って、同じ構成部材については符号を等しくし、その詳細な説明を省略する。
【００４０】
図９は、本実施形態における回転型表示装置１Ｂの構成を説明するための図である。回転型表示装置１Ｂは、固定部材ＷとディスプレイＱ１とで構成される第１の表示体３ａと、固定部材ＷとディスプレイＱ２とで構成される第２の表示体３ｂと、固定部材ＷとディスプレイＱ３とで構成される第３の表示体３ｃとが、それぞれ互いに外向きになるように三角柱状に貼り合わされた構成を成した表示体３１を備えている。すなわち、回転型表示装置１Ｂは、回転方向に３個のディスプレイが区画形成された表示体３１を備えている。
【００４１】
このように構成された回転型表示装置１Ｂにおいては、表示体３１は３つのディスプレ
イＱ１，Ｑ２，Ｑ３を備えているので、表示体３１の回転数を上記第１の実施形態の表示体３と比較して１／３倍にすることができる。すなわち、表示体３１を１秒間に２０回転の回転数で回転させても、各観察者の視点Ａ，Ｂ，Ｃ，Ｄにその各回転角度位置において表示される画像を１秒間に６０回表示することができる。この結果、上記第１実施形態の効果に加えて前記表示体３１を回転駆動させる前記モータ５の負荷をさらに軽減させることができる。
（第４実施形態）
次に、本発明を具体化した第４実施形態を図１０に従って説明する。この第４実施形態の回転型表示装置１Ｃは、表示体の構成が異なっている他は上記第１実施形態と同じ構成を成している。従って、同じ構成部材については符号を等しくし、その詳細な説明を省略する。
【００４２】
図１０は、本実施形態における回転型表示装置１Ｃの構成を説明するための図である。回転型表示装置１Ｃは、固定部材ＷとディスプレイＱ１とで構成される第１の表示体３ａと、固定部材ＷとディスプレイＱ２とで構成される第２の表示体３ｂと、固定部材ＷとディスプレイＱ３とで構成される第３の表示体３ｃと、固定部材ＷとディスプレイＱ４とで構成される第４の表示体３ｄとが、それぞれ互いに外向きになるように貼り合わされた構成を成した四角柱形状の表示体４１を備えている。すなわち、回転型表示装置１Ｃは、回転方向に４個のディスプレイが区画形成された表示体４１を備えている。
【００４３】
このように構成された回転型表示装置１Ｃにおいては、表示体４１は４つのディスプレイＱ１，Ｑ２，Ｑ３，Ｑ４を備えているので、例えば、第１の表示体３ａのディスプレイＱ１が観察者の視点Ａと正対する位置に至るとき、第３の表示体３ｃのディスプレイＱ３が観察者の視点Ａと相対向する位置にいる観察者の視点Ｃに正対する位置に至る。また、このとき、第２の表示体３ｂのディスプレイＱ２が観察者の視点Ｂと正対する位置に至り、第４の表示体３ｄのディスプレイＱ４が観察者の視点Ｂと相対向する位置にいる観察者の視点Ｄに正対する位置に至る。
【００４４】
従って、表示体４１の回転数を上記第１実施形態の表示体３と比較して１／４倍にすることができる。すなわち、表示体４１を１秒間に１５回転の回転数で回転させても、各観察者の視点Ａ，Ｂ，Ｃ，Ｄに各回転角度位置において表示される画像を１秒間に６０回表示することができる。この結果、上記第１実施形態の効果に加えて前記表示体４１を回転駆動させる前記モータ５の負荷を軽減させることができる。
【００４５】
尚、発明の実施形態は、上記各実施形態に限定されるものではなく、以下のように実施してもよい。
○上記第１実施形態では、表示体３は、回転方向に１個のディスプレイＱが区画形成され、そのディスプレイＱに画像が表示されるものであって、表示体３を１秒間に６０回転の回転数で回転駆動しながら、各表示回転角度範囲θ１〜θ４において表示される画像を、前記表示体３の回転に同期して切り替えて表示されるようにした。これを、前記表示体３を、１秒間に６０回転以上、例えば１２０回転の回転数で回転させながら各表示回転角度範囲θ１〜θ４において表示される画像を、前記表示体３の回転数に同期して表示する画像を切り替えて表示されるようにしてもよい。このようにすることで、上記第１実施形態と同様な効果を得ることができる。
【００４６】
また、同様に、上記第２、３及び４実施形態では、それぞれ、表示体２１，３１，４１を３０回転、２０回転及び１５回転以上回転させ、各回転に同期して表示する画像を切り替えて表示されるようにしてもよい。このようにすることで、上記第１実施形態と同様な効果を得ることができる。
【００４７】
○上記各実施形態では、回転型表示装置１は、被写体を互いに９０°毎の等角度に配置された４台のカメラで撮影し、ディスプレイＱで表示される画像をそのディスプレイＱの向き、すなわち、所定の表示回転角度範囲θ１〜θ４毎に切り替えて表示することで、観察者の視点Ａ〜Ｄの位置に応じて異なる画像を表示した。これを、被写体を互いに９０°以外の、例えば、６０°毎の等角度に配置された６台のカメラで撮影し、ディスプレイＱで表示される画像をそのディスプレイＱの向き、すなわち、所定の表示回転角度範囲毎に切り替えて表示することで、観察者の視点の位置に応じて異なる画像を表示するようにしてもよい。この場合においても、上記実施形態と同様に、画像のちらつきがない表示品位の高い画像を表示することができる。
【００４８】
○上記各実施形態では、表示体として公知の平面型液晶ディスプレイであるディスプレイＱを使用したが、これに限定されるものではなく、表示体３がスクリーンで構成され、そのスクリーンに、異なる方向から撮影した画像を表わす光を前記スクリーンの回転周期に同期して投射する投射手段を備えた投影型の回転型表示装置であってもよい。この場合においても、上記実施形態と同様に、表示体３を１秒間に６０回転の回転数で回転駆動しながら、各表示回転角度範囲θ１〜θ４において投射される画像を、前記表示体３の回転数に同期して切り替えて表示することで、画像のちらつきがない表示品位の高い画像を表示させることができる。
【００４９】
○上記各実施形態では、表示体として公知の平面型液晶ディスプレイであるディスプレイＱを使用したが、これに限定されるものではなく、例えば、有機ＥＬ素子を備えた有機ＥＬディスプレイ、デジタルマイクロミラーデバイス（ＤＭＤ）を用いたディスプレイ、電子放出素子を用いたディスプレイ（ＦＥＤ）やＳＥＤ（Ｓｕｒｆａｃｅ−Ｃｏｎｄｕｃｔｉｏｎ  Ｅｌｅｃｔｒｏｎ−Ｅｍｉｔｔｅｒ  Ｄｉｓｐｌａｙ）であってもよい。
【図面の簡単な説明】
【００５０】
【図１】第１実施形態に係る回転型表示装置の全体斜視図である。
【図２】回転型表示装置の正面図である。
【図３】回転型表示装置の平面図である。
【図４】表示体が台座上で回転駆動したときの回転型表示装置の平面図である。
【図５】回転型表示装置の電気的構成を説明するための図である。
【図６】ディスプレイに表示される画像の一例を示すための図であって、（ａ）は、人物を正面から撮影した画像、（ｂ）は、同じ人物を左側方から撮影した画像、（ｃ）は、同じ人物を後方から撮影した画像、（ｄ）は、同じ人物を右側方から撮影した画像の図である。
【図７】回転型表示装置の表示体の回転数（周波数）と、ディスプレイに表示される画像のちらつき度合いとの関係を示す図である。
【図８】第２実施形態における回転型表示装置の構成を説明するための図である。
【図９】第３実施形態における回転型表示装置の構成を説明するための図である。
【図１０】第４実施形態における回転型表示装置の構成を説明するための図である。
【図１１】従来の回転型表示装置の駆動方法を説明するための図であって、（ａ）はディスプレイの回転角度が−θａの状態、（ｂ）はディスプレイの回転角度が−θｂの状態、（ｃ）はディスプレイの回転角度が０°の状態、（ｄ）はディスプレイの回転角度がθｂの状態、（ｅ）はディスプレイの回転角度がθａの状態の図である。
【符号の説明】
【００５１】
Ｑ…表示部としてのディスプレイ、Ｑ１，Ｑ２，Ｑ３，Ｑ４…表示部としての第１、第２、第３または第４のディスプレイ、１…回転型表示装置、３…表示体。
【図１】
2005221946.tif 000003
【図２】
2005221946.tif 000004
【図３】
2005221946.tif 000005
【図４】
2005221946.tif 000006
【図５】
2005221946.tif 000007
【図６】
2005221946.tif 000008
【図７】
2005221946.tif 000009
【図８】
2005221946.tif 000010
【図９】
2005221946.tif 000011
【図１０】
2005221946.tif 000012
【図１１】
2005221946.tif 000013